(57)【要約】【課題】空気調和装置における送風機の洗浄に伴って、漏電や回転不良などの不具合が発生せず、かつ、送風機の洗浄が簡単に行えることようにした技術である。【解決手段】空気調和装置１の空気吸込口、熱交換器５、送風機２及び空気吹出口61を順に空気が流通する通風路６２から、隔離する隔壁板７により本体ケーシング６内に隔離空間７１を形成して、隔離空間７１に、隔壁板７を貫通するファン軸２２と、ファン軸２２の端部に設けたファンプーリ２４と、電動機３と、電動機プーリ３１と、ベルト３２と、制御箱４とを配置し、本体ケーシング６の正面パネルを開閉可能に設けて、正面パネルを開いて送風機２を洗浄可能としたから、送風機２を洗浄する際に、洗浄液が送風機２を除く回転部品や電気機能部品にかかることがなく、漏電や回転不良などの不具合の発生をなくして、送風機２の洗浄を養生作業なしに簡単に行うことができるのである。【選択図】図１
2014129925.tif 000002
【特許請求の範囲】
【請求項１】
ファンハウジング、ファン軸及びファンロータを有する送風機と、電動機と、制御基板等を搭載した制御箱と、ファンプーリと、電動機プーリと、ベルトと、熱交換器とを、空気吸込口及び空気吹出口を有する本体ケーシング内に収容するとともに、前記空気吸込口、前記熱交換器、前記送風機及び前記空気吹出口をこれらの順に空気が流通する通風路を形成した空気調和装置において、
前記通風路から隔離する隔壁板により前記本体ケーシング内に隔離空間を形成して、前記隔離空間に、前記隔壁板を貫通する前記ファン軸と、前記ファン軸の端部に設けた前記ファンプーリと、前記電動機と、前記電動機プーリと、前記ベルトと、前記制御箱とを配置し、
前記本体ケーシングの正面パネルを開閉可能に設けて、前記正面パネルを開いて前記送風機を洗浄可能としたことを特徴とする空気調和装置。
【請求項２】
熱交換器を本体ケーシング内の下方に、送風機を前記熱交換器の上方に、電動機及び制御箱を前記送風機の上方にそれぞれ配置し、ファンハウジングの上端に空気出口を開口して前記本体ケーシングの空気吹出口に連通させていることを特徴とする請求項１に記載の空気調和装置。
【請求項３】
ファン軸を正面パネルと平行に配置し、電動機プーリの軸心がファンプーリの軸心よりも前記正面パネルに近い位置に配置し、
前記ファン軸を支持するファン軸受をファンハウジングに固定し、前記ファンハウジングの上方部を水平に配置した送風機台に固定し、
隔壁板に前記ファン軸を前記正面パネル側に引出可能なスリットを形成するとともに、前記送風機台を前記正面パネルの外方に水平にスライド可能な送風機アセンブリ引出レールを本体ケーシング内に固定し、
前記ファンハウジング、前記ファン軸、ファンロータ、ファンプーリ、ベルト、前記ファン軸受及び前記送風機台からなる送風機アセンブリを前記正面パネル外方に引出して洗浄可能としたことを特徴とする請求項２に記載の空気調和装置。
【請求項４】
ファンハウジングの側面の空気入口の下方部を塞ぐ液溜板を形成して、送風機の洗浄時に前記液溜板を前記ファンハウジングに装着可能としたことを特徴とする請求項３に記載の空気調和装置。
【請求項５】
ファン軸を正面パネルと平行に配置し、前記ファン軸を支持するファン軸受を隔壁板における隔離空間側に固定し、
ファンハウジングを水平中央部で２分割可能とし、前記ファンハウジングにおける下側分割体の側面の空気入口を塞ぐ液溜板を形成して、送風機の洗浄時に前記液溜板を前記下側分割体に装着可能とし、洗浄液を前記下側分割体に充填可能とするとともに前記下側分割体を前記ファンハウジングから分離可能としたことを特徴とする請求項１に記載の空気調和装置。
【請求項６】
ファン軸の外径に内径が合致した半割の円環板をマグネットシート材で形成し、送風機の洗浄時に前記円環板を隔壁板の前記ファン軸の貫通部に通風路側から固定可能としたことを特徴とする請求項５に記載の空気調和装置。
【発明の詳細な説明】
【技術分野】
【０００１】
本発明は、空気調和装置に係り、送風機の洗浄を容易に行うことができるようにした技術である。
【背景技術】
【０００２】
冷房や暖房を行うために被空調室内に設置される空気調和装置は、被空調室内の設置条件により、例えば、食品工場では、衛生面から常に清潔にしておかなければならず、送風機等を定期的に洗浄することが必要とされる場合がある。
そこで、従来、ファンハウジングにファンロータ洗浄用開口部を設け、これを開閉可能なファンロータ洗浄用開口パネルで覆うとともに、ファンロータ洗浄用開口パネルの背面側にファンロータを配置してファンロータ洗浄用開口パネルを開けるとファンロータが露出するように構成し、メンテナンスパネル及びファンロータ洗浄用パネルを開けることによって、開放されたファンロータ洗浄用開口部から水をかけてファンロータを洗浄するようにした空気調和装置が知られている（例えば、特許文献１参照）。
【０００３】
また、従来、左右の側板の上部に、送風ファン等が下面に設けられた天板を前後出し入れ自在に支持する天板支持部材がそれぞれ設置され、天板を天板支持部材に載せて前後出し入れ自在の構造とし、天板を本体ケーシングの前方へ移動させることにより送風ファンやその駆動部などのメンテナンスや清掃を行えるようにした空気調和装置が知られている（例えば、特許文献２参照）。
【先行技術文献】
【特許文献】
【０００４】
【特許文献１】特許第４６７７７３９号公報
【特許文献２】特開２０１０−１１７１０５号公報
【発明の概要】
【発明が解決しようとする課題】
【０００５】
特許文献１及び特許文献２に記載された従来の技術は、水などの洗浄液を用いて送風機の洗浄を行う場合、電動機、プーリ、ベルト等に洗浄液がかかり、漏電や回転不良などの不具合が発生するという課題があった。
また、このような不具合を解消するためには、電動機、プーリ、ベルト等を防水するためにビニールなどで養生し、洗浄液がかからない措置をしなければならず、洗浄作業に多大の工数を要するという新たな課題が生じていた。
【０００６】
本発明は、特許文献１及び特許文献２に記載の従来の空気調和装置における課題を解決して、送風機の洗浄に伴って、漏電や回転不良などの不具合が発生せず、かつ、送風機の洗浄が養生作業なしに簡単に行えることを目的としている。
【課題を解決するための手段】
【０００７】
本発明の空気調和装置は、ファンハウジング、ファン軸及びファンロータを有する送風機と、電動機と、制御基板等を搭載した制御箱と、ファンプーリと、電動機プーリと、ベルトと、熱交換器とを、空気吸込口及び空気吹出口を有する本体ケーシング内に収容するとともに、空気吸込口、熱交換器、送風機及び空気吹出口をこれらの順に空気が流通する通風路を形成した空気調和装置において、通風路から隔離する隔壁板により本体ケーシング内に隔離空間を形成して、隔離空間に、隔壁板を貫通するファン軸と、ファン軸の端部に設けたファンプーリと、電動機と、電動機プーリと、ベルトと、制御箱とを配置し、本体ケーシングの正面パネルを開閉可能に設けて、正面パネルを開いて送風機を洗浄可能としたものである。
【発明の効果】
【０００８】
本発明の空気調和装置は、通風路から隔離した隔離空間に、隔壁板を貫通するファン軸と、ファン軸の端部に設けたファンプーリと、電動機と、電動機プーリと、ベルトと、制御箱とを配置し、本体ケーシングの正面パネルを開閉可能に設けて、正面パネルを開いて送風機を洗浄可能としたから、送風機を洗浄する際に、洗浄液が送風機を除く回転部品や電気機能部品にかかることがなく、漏電や回転不良などの不具合の発生をなくして、送風機の洗浄を養生作業なしに簡単に行うことができるのである。
また、通風路からファンプーリ、電動機プーリやベルトを隔離しているので、運転時のファンプーリ、電動機プーリ、ベルトなどからの磨耗粉が被空調室内に飛散せず、被空調室内を清潔に保持することができるのである。
【図面の簡単な説明】
【０００９】
【図１】本発明の実施の形態１に係る空気調和装置における正面パネルを取外した状態を示す正面図である。
【図２】図１の左側板を取外した状態を示す側面説明図である。
【図３】図１の天板を取外した状態を示す平面図である。
【図４】図２の状態から送風機アセンブリを正面パネル側に引出してベルトが最も緩んだ状態を示した側面説明図である。
【図５】図４の状態からベルトを取外して送風機アセンブリを正面パネル側に最大引出して送風機の洗浄状態を示す側面説明図である。
【図６】隔壁板を示す図３におけるＡ矢視図である。
【図７】本発明の実施の形態１に係る空気調和装置における水溜板を用いてファンハウジングに洗浄液を貯留可能とした説明図である。
【図８】図７の状態から洗浄液による洗浄を行う説明図である。
【図９】本発明の実施の形態２に係る空気調和装置における正面パネルを取外した状態を示す正面図である。
【図１０】図９の左側板を取外した状態を示す側面説明図である。
【図１１】隔壁板を示す図９におけるＢ及びＣ矢視図である。
【図１２】本発明の実施の形態２に係る空気調和装置における水溜板を用いてファンハウジングに洗浄液を貯留して洗浄を行う説明図である。
【図１３】図１２の状態からファンハウジングを分割した状態を示す説明図である。
【図１４】本発明の実施の形態３に係る空気調和装置における天板を取外した状態を示す平面図である。
【発明を実施するための形態】
【００１０】
実施の形態１．
本発明の実施の形態１を図１〜図８に基づいて説明する。
実施の形態１は、空気調和装置に係るものであり、図１〜図３はパネルを取外した正面図、側面図及び平面図であり、図４〜図８は送風機の洗浄を説明する図面である。
【００１１】
図１〜図３において、１は、被空調室内の床面に設置する床置形の空気調和装置であり、ファンハウジング２１、ファン軸２２及びファンロータ２３を有する送風機２と、電動機３と、制御基板等を搭載した制御箱４と、ファンプーリ２４と、電動機プーリ３１と、ベルト３２と、熱交換器５とを、空気吸込口（図示せず）及び空気吹出口６１を有する本体ケーシング６内に収容している。
前記本体ケーシング６内には、前記熱交換器５を下方に、前記送風機２を前記熱交換器５の上方に、前記電動機３及び前記制御箱４を前記送風機２の上方にそれぞれ配置している。
【００１２】
前記ファンハウジング２１の上端に空気出口２１ａを開口して前記本体ケーシング６の前記空気吹出口６１に連通させ、前記空気吹出口６１を空気吹出ダクトの接続口としている。
そして、正面パネル（図示せず）下方部における前記熱交換器５の前方に形成した前記空気吸込口から前記熱交換器５、前記送風機２及び前記空気吹出口６１をこれらの順に前記本体ケーシング６内を下方から上方に空気が流通する通風路６２を形成している。
【００１３】
また、前記通風路６２から隔離する隔壁板７により前記本体ケーシング６内に隔離空間７１を形成して、前記隔離空間７１における前記送風機２の側方に、前記隔壁板７を貫通する前記ファン軸２２と、前記ファン軸２２の端部に設けた前記ファンプーリ２４とを配置し、前記隔離空間７１における前記送風機２の上方に、前記電動機３と、前記電動機プーリ３１と、前記制御箱４とを配置し、前記隔離空間７１における上方から下方にわたって前記ベルト３２を配置している。
このように、前記通風路６２から前記ファンプーリ２４、前記電動機プーリ３１や前記ベルト３２を隔離しているので、運転時の前記ファンプーリ２４、前記電動機プーリ３１、前記ベルト３２などからの磨耗粉が被空調室内に飛散せず、被空調室内を清潔に保持することができるようにしている。
【００１４】
前記本体ケーシング６の前記正面パネルを開閉可能に設けて、前記正面パネルを開いて前記送風機２を洗浄可能としている。
さらに、図２及び図３に示すように、前記ファン軸２２を前記正面パネルと平行に配置し、前記電動機プーリ３１の軸心が前記ファンプーリ２４の軸心よりも前記正面パネルに近い位置に配置している。
【００１５】
前記ファン軸２２を支持するファン軸受２５を軸受台２５ａを介して前記ファンハウジング２１に固定して、前記ファンハウジング２１の上方部を水平に配置した送風機台２ａに固定し、前記送風機台２ａを前記隔壁板７と支持板７ａとに締結用部材７ｂにより固定している。
前記ファンハウジング２１、前記ファン軸２２、前記ファンロータ２３、前記ファンプーリ２４、前記ベルト３２、前記ファン軸受２５、前記軸受台２５ａ及び前記送風機台２ａからなる送風機アセンブリ２６（図１参照）を形成している。
【００１６】
前記隔壁板７に前記ファン軸２２を前記正面パネル側に引出可能なスリット７２を形成するとともに、前記送風機台２ａを前記正面パネルの外方に水平にスライド可能な送風機アセンブリ引出レール２６ａを前記本体ケーシング６内に固定して、前記正面パネル外方に前記送風機アセンブリ２６を引出して前記送風機２を洗浄可能としている。
以下、前記送風機２の洗浄を、図４〜図８に基づいて説明する。
【００１７】
図４に示すように、図２の状態から前記送風機アセンブリ２６を正面パネル側に途中まで引出すと、前記ベルト３２が最も緩んだ状態となり、前記ベルト３２を簡単に取外すことができるのである。
そして、図５に示すように、前記ベルト３２を取外した状態の前記送風機アセンブリ２６を前記正面パネル外方に引出して洗浄ホース８からの洗浄液により前記送風機２を洗浄することができるのである。
【００１８】
なお、図６に示すように、空気調和装置１の通常運転を行うときには、前記隔壁板７に形成した前記スリット７２を閉止する閉止板７３を取り付けている。
また、図７に示すように、前記ファンハウジング２１の側面の空気入口２１ｂを塞ぐ液溜板２７形成して、前記送風機２の洗浄時に、前記液溜板２７を前記ファンハウジング２１に装着可能としている。
【００１９】
そして、図８に示すように、前記ファンハウジング２１の内部下方に洗浄液８１を貯留するとともに、前記ファンプーリ２４を手で回転させて、前記ファンロータ２３や前記ファンハウジング２１の内面を洗浄するのである。
さらに、図８の洗浄液を貯留した状態で、前記ベルト３２を再度張り直して、前記送風機アセンブリ２６を前記本体ケーシング６内の所定位置に戻して、図６に示すマグネットシート材で形成した閉止用マグネット板７４で前記スリット７２を閉止して、前記電動機３をインバータ制御で約５０ｒｐｍで回転させることにより、前記ファンロータ２３や前記ファンハウジング２１の内面を洗浄するのである。
【００２０】
なお、図７及び図８で説明した前記ファンハウジング２１の内部下方に貯留した洗浄液は、前記ファンハウジング２１の下部に液抜口（図示せず）を設けて前記液抜口の栓を外して洗浄液を洗浄液回収タンクに回収するのである。
以上の実施の形態１においては、前記ファン軸受２５を防水型として、前記通風路６２に配設した前記ファンハウジング２１に固定し、洗浄時に前記ファン軸受２５に洗浄液がかかっても回転不良等の不具合が発生しないようにしている。
【００２１】
こうように、以上の実施の形態１では、前記送風機２を洗浄する際に、洗浄液が送風機２を除く回転部品や電気機能部品にかかることがなく、漏電や回転不良などの不具合の発生をなくして、送風機２の洗浄を養生作業なしに簡単に行うことができるようにしている。
【００２２】
実施の形態２．
次に、本発明の実施の形態２を図９〜図１３に基づいて説明する。
実施の形態２は空気調和装置に係るものであり、図９及び図１０はパネルを取外した正面図及び側面図であり、図１１〜図１３は送風機の洗浄を説明する図面である。
【００２３】
この実施の形態２は、実施の形態１における送風機アセンブリを正面パネル外方に引出して洗浄するようにしたことに変えて、ファンハウジングを上下２分割可能とし、ファン軸受の取付構造を変更することにより、送風機アセンブリを正面パネル外方に引出さずに送風機の洗浄ができるようにしたのである。
以下、実施の形態１と同様な構成については、同一の符号を付して説明を省略ないし簡略にし、実施の形態１と相違する構成について詳細に説明する。
【００２４】
図９及び図１０において、送風機２のファン軸２２を正面パネル（図示せず）と平行に配置し、前記ファン軸２２を支持するファン軸受２５１を隔壁板７における隔離空間７１側に固定している。
ファンハウジング２１１を水平中央部で上側分割体２１２と下側分割体２１３とに２分割可能とし、通常運転時には前記両分割体２１２、２１３を締結部材（図示せず）で固定し、前記送風機２の洗浄時に前記締結部材を外して前記下側分割体２１３を前記ファンハウジング２１１から分離可能としている。
【００２５】
次に、前記送風機２の洗浄を、図１１〜図１３に基づいて説明する。
前記送風機２の洗浄時には、図１１に示すように、前記ファン軸２２の外径に内径が合致した一対の半割の円環板２８をマグネットシート材で形成し、前記送風機２の洗浄時に前記円環板２８を前記隔壁板７の前記ファン軸２２の貫通部に通風路６２側から固定可能として、洗浄時に前記ファン軸２２を伝って前記隔離空間７１に進入することを防止している。
【００２６】
図１２に示すように、前記ファンハウジング２１１における前記下側分割体２１３の側面の空気入口２１１ｂを塞ぐ液溜板２７ａを形成して、前記送風機２の洗浄時に前記液溜板２７ａを前記下側分割体２１３に装着可能とし、洗浄液を前記下側分割体２１３に充填可能としている。
前記ファンハウジング２１１の内部下方に洗浄液を貯留するとともに、前記電動機３をインバータ制御で約５０ｒｐｍで回転させることにより、前記ファンロータ２３や前記ファンハウジング２１１の内面を洗浄するのである。
【００２７】
そして、図１３に示すように、前記送風機２を洗浄し、洗浄後の汚染洗浄液は、前記ファンハウジング２１１の前記下側分割体２１３内に溜まるため、前記下側分割体２１３を前記ファンハウジング２１１から分離して空気調和装置１外に運び、前記汚染洗浄液を廃棄するのである。
このように、実施の形態２では、送風機アセンブリの引出機構を設けることなく、かつ、ファン軸受を防水構造としたり、養生をしたりすることなく、送風機の洗浄を行うことができるのである。
【００２８】
実施の形態３．
次に、本発明の実施の形態３を図１４に基づいて説明する。
実施の形態３は、図１４の平面図に示すように、実施の形態１又は実施の形態２において、空気吹出ダクトの接続口とした前記空気吹出口６１に電動機３を冷却する吹出穴６１ａを形成するのである。
【００２９】
また、前記吹出穴６１ａを形成したことに伴い、冷却時に制御箱４が冷却されて電気制御機器に結露が生じないように、結露防止用の仕切板６３ａ、６３ｂを設けている。
他の構成は、実施の形態１又は実施の形態２と同様であるので説明を省略する。
【００３０】
実施の形態の変形例
以上の実施の形態１〜実施の形態３では、熱交換器５を本体ケーシング６内の下方に、送風機２を熱交換器５の上方に、電動機３及び制御箱４を送風機２の上方にそれぞれ配置し、ファンハウジング２１、２１１の上端に空気出口２１ａを開口して本体ケーシング６の空気吹出口６１に連通させたが、空気吸込口、熱交換器、送風機及び空気吹出口をこれらの順に空気が流通する通風路を水平方向に形成してもよい。
【符号の説明】
【００３１】
１  空気調和装置
２  送風機
２１、２１１  ファンハウジング
２１３  下側分割体
２１ａ  空気出口
２１ｂ、２１１ｂ  空気入口
２２  ファン軸
２３  ファンロータ
２４  ファンプーリ
２５、２５１  ファン軸受
２６  送風機アセンブリ
２６ａ  送風機アセンブリ引出レール
２７、２７ａ  液溜板
２８  円環板
３  電動機
３１  電動機プーリ
３２  ベルト
４  制御箱
５  熱交換器
６  本体ケーシング
６１  空気吹出口
６２  通風路
７  隔壁板
７１  隔離空間
７２  スリット
【図１】
2014129925.tif 000003
【図２】
2014129925.tif 000004
【図３】
2014129925.tif 000005
【図４】
2014129925.tif 000006
【図５】
2014129925.tif 000007
【図６】
2014129925.tif 000008
【図７】
2014129925.tif 000009
【図８】
2014129925.tif 000010
【図９】
2014129925.tif 000011
【図１０】
2014129925.tif 000012
【図１１】
2014129925.tif 000013
【図１２】
2014129925.tif 000014
【図１３】
2014129925.tif 000015
【図１４】
2014129925.tif 000016